(57)【要約】【課題】燃料を給油するときに周囲が暗くても油量窓１２でタンク１１内の燃料を確認できるようにして、使用者の使い勝手の向上を図ることを目的とするものである。【解決手段】油量窓１２は蓄光機能を有するように形成するとともに、油受け皿２１にタンク１１を装着したとき、タンク１１収納部の適所に蓄光機能を有する油量窓１２に光を供給する発光手段２７を配設してあるので、油受け皿２１にタンク１１を装着したときに、油量窓１２に光を蓄えられ、周囲が暗い場所での給油でも油量窓１２に蓄えられた光で使用者はタンク１１内の燃料が油量窓１２で確認出来るようになり、タンク１１内に燃料が満量となって溢れさせたり、こぼしたりする危険性が少なくなり、使い勝手が大幅に向上される。【選択図】  図１
2004293859.tif 000002
【特許請求の範囲】
【請求項１】
機器本体と、燃料を一時的に保有する油受け皿と、この油受け皿に着脱自在に設け該油受け皿に燃料を供給する略直方体のタンクと、このタンクの長手方向の１端面の適所に設けた給油口と、前記タンクの油量を確認する油量窓と、前記油受け皿上部に位置し前記タンクを収納するタンク収納部とを備え、前記油量窓には蓄光機能を有する受光手段を設け、前記タンク収納部には前記油量窓と対向する位置に発光手段を配設してなる石油燃焼機。
【請求項２】
油量窓の受光手段はタンク内側へ突起部を有する構成とし、この突起部が給油口から見えるように配設した請求項１記載の石油燃焼機。
【請求項３】
油受け皿内に油量検知手段を配設し、前記油量検知手段で油受け皿内の燃料が所定量以下を検知した時、発光手段を作動させ油量窓を介して受光手段に光を供給するようにした請求項１または２記載の石油燃焼機。
【請求項４】
燃料の残量を検知する油量検知手段と、油切れを報知する油切れ報知手段を設け、前記油量検知手段で油受け皿内の燃料が所定量以下を検知した時、受光手段を有する油量窓に光を供給する発光手段の作動を開始するとともに、所定時間経過後に油切れ報知手段を作動するようにした請求項１〜３のいずれか１項記載の石油燃焼機。
【請求項５】
時刻を計時する時計手段を設け、前記時計手段が所定の時刻を計時している間だけ受光手段に光を供給する発光手段を作動するようにした請求項１〜４のいずれか１項記載の石油燃焼機。
【請求項６】
受光手段に光を供給する発光手段は、定期的あるいは不定期に作動してなる請求項１〜５のいずれか１項記載の石油燃焼機。
【請求項７】
受光手段に光を供給する発光手段の作動を入・切する発光作動切替手段を配設してなる請求項１〜６のいずれか１項記載の石油燃焼機。
【発明の詳細な説明】
【０００１】
【発明の属する技術分野】
本発明は、石油燃焼機に着脱自在に設けた燃料を供給するタンクに関するものである。
【０００２】
【従来の技術】
従来の構成を燃焼暖房機のタンクを用いて、図７、図８、図９により説明する。図に示すように、タンク本体１の適所に燃料を供給する給油口２を設け、この給油口２に弁機構３を有する給油キャップ４を取り付け、給油口２の端面２ａを給油キャップ４に設けたシール面３ｃでシールすることにより、前記弁機構３を介して給油口２の開放状態と閉塞状態を保つように構成としている。そして、機器５のタンク収納部６にセットするときは、給油口２を下向きにして油受け皿７に載置することで、油受け皿７内に設けた弁押上ピン８により弁体３ｂが押し上げられ、弁機構３が強制的に開放されてタンク本体１内の燃料が油受け皿７に供給され、油受け皿７内の油面が弁機構３の吐出口９に達するとタンク本体１からの燃料の供給が停止する。そして、油受け皿７内の燃料が消費され油面が低下すると、再度タンク本体１からの燃料の供給が開始される。この繰り返しによりタンク本体１から油受け皿７への燃料の供給が行われる。
【０００３】
次に、タンク本体１の燃料が消費され補給が必要となった場合は、機器５からタンク本体１を取り出すことで、弁押上ピン８が弁機構３から離れ、弁機構３は内蔵バネ３ａにより弁体３ｂを吐出口９に密着させることで閉塞状態となりタンク本体１からの燃料の流出を防止する。この状態でタンク本体１を反転させ、給油キャップ４を上向きにして給油キャップ４をゆるめ、給油口２から取り外す。そして、給油口２から燃料を補給したのち、給油キャップ４を給油口２に取り付け、再度機器５に逆転装着することで、油受け皿７への供給が開始されるものである（例えば、特許文献１参照）。
【０００４】
【特許文献１】
特開２０００−３３７６２８号公報（第２頁、第８図〜１１図）
【０００５】
【発明が解決しようとする課題】
しかしながら従来の構成においては、燃料を給油するときに周囲が暗い場所、例えば、家の物置場や日が暮れて灯りのない場所での作業が多く、使用者は給油時に細心の注意を払わなければならず、ともすれば、タンク１内に燃料が満量となって溢れさせたり、こぼしたりする心配があった。
【０００６】
そして、燃料を溢れさせたり、こぼしたりすると、給油場所のみならず移動の際に、給油キャップ４などから伝って燃料が床に落ちたり、機器にタンク１を装着時に機器にたれたり、また使用者の手などに付着したりして、周囲を汚すばかりでなく、燃料の臭いが部屋に充満して、使用感を著しく悪化する心配があった。
【０００７】
本発明は上記問題点に鑑みてなしたもので、燃料を給油するときに周囲が暗くても油量窓でタンク１内の燃料を確認できるようにして、使用者の使い勝手の向上を図ることを目的とするものである。
【０００８】
【課題を解決するための手段】
本発明は上記課題を解決するため、油受け皿に燃料を供給する略直方体のタンクの油量窓に蓄光機能を有する受光手段を設けるとともに、前記油量窓と対向するタンク収納部に発光手段を配設し、前記タンクを油受け皿にセットしたとき、発光手段からの光を油量窓を介して受光手段が受光できるように構成し、発光手段を適時作動させることで、受光手段で蓄光させるようにしたものである。
【０００９】
上記発明によれば、油受け皿にタンクを装着した状態で発光手段を適時作動させれば、油量窓に設けた受光手段は、都度、発光手段からの光を受光して蓄光していくため、給油作業時タンクを抜き取り、燃料を保管している暗い場所に持っていった場合でも、受光手段に蓄えられた光で使用者はタンク内の燃料が油量窓を介して確認できるようになり、タンク内に燃料が満量となって溢れさせたり、こぼしたりする心配がなくなる。
【００１０】
つまり、タンクに燃料を給油するときに、周囲が暗い場所でも、使用者がタンク内の燃料を油量窓で確認しやすくなり、燃料を溢れさせたり、こぼしたりする心配が無くなるので、周囲を汚したり、燃料のにおいが部屋に充満する心配が無くなり、使い勝手が大幅に向上される。
【００１１】
【発明の実施の形態】
本発明の請求項１記載の石油燃焼機は、機器本体と、燃料を一時的に保有する油受け皿と、この油受け皿に着脱自在に設け該油受け皿に燃料を供給する略直方体のタンクと、このタンクの長手方向の１端面の適所に設けた給油口と、前記タンクの油量を確認する油量窓と、前記油受け皿上部に位置し前記タンクを収納するタンク収納部とを備え、前記油量窓には蓄光機能を有する受光手段を設け、前記タンク収納部には前記油量窓と対向する位置に発光手段を配設した構成としている。
【００１２】
そして、油量窓には蓄光機能を有する受光手段を設け、タンク収納部には油受け皿にタンクを装着したとき前記油量窓と対向する位置に光を供給する発光手段を配設してあるので、油受け皿にタンクを装着した状態で適時発光手段を作動させれば、蓄光機能を有する油量窓に光を蓄えられ、周囲が暗い場所における給油作業でも油量窓に蓄えられた光で使用者はタンク内の燃料が油量窓で確認できるようになり、タンク内に燃料が満量となって溢れさせたり、こぼしたりする危険性が少なくなる。
【００１３】
つまり、タンクに燃料を給油するときに、周囲が暗い場所でも、使用者がタンク内の燃料を油量窓で確認しやすくなり、燃料を溢れさせたり、こぼしたりする心配が無くなるので、周囲を汚したり、燃料のにおいが部屋に充満する心配が無くなり、使い勝手が大幅に向上される。
【００１４】
また、請求項２記載の石油燃焼機は、油量窓の受光手段はタンク内側へ突起部を有する構成とし、この突起部が給油口から見えるように配設した構成としてある。
【００１５】
そして、油量窓には蓄光機能を有する受光手段を設けるとともに、前記受光手段はタンク内側へ突起部を有した構成とし、この突起部が給油口から見えるように配設してあるので、発光手段からの光を蓄えた受光手段の突起部が給油口から見え、周囲が暗い場所での給油でも、給油口がタンクの内側からの光で確認し易くなり、また、使用者は給油の際にタンクの上方から作業する場合が多く、その際使用者は油量窓でタンク内の油量を確認しなくても、給油口から確認できるようになるので、給油し易くなり、さらに使い勝手が大幅に向上される。
【００１６】
また、請求項３記載の石油燃焼機は、油受け皿内の燃料を検知する油量検知手段を配設するとともに、油量検知手段で油受け皿内の燃料が所定量以下を検知した時に、蓄光機能を有する油量窓に光を供給する発光手段を作動させる構成としてある。
【００１７】
そして、油受け皿内の燃料を検知する油量検知手段を配設するとともに、油量検知手段で油受け皿内の燃料が所定量以下を検知した時に、蓄光機能を有する油量窓に光を供給する発光手段を作動させるようにしてあるので、給油動作をする可能性の少ないタンク内に燃料があるときには、蓄光機能を有する油量窓に光を供給する発光手段を作動しないので、発光手段の省エネと長寿命化が図れる。
【００１８】
また、請求項４記載の石油燃焼機は、燃料の残量を検知する油量検知手段を配設し、かつ油切れを報知する油切れ報知手段を設けるとともに、油量検知手段で油受け皿内の燃料が所定量以下を検知した時に、蓄光機能を有する油量窓に光を供給する発光手段の作動を開始するとともに、所定時間経過後に油切れ報知手段を作動させる構成としてある。
【００１９】
そして、油量検知手段で燃料の残量が所定量以下を検知した時に、蓄光機能を有する油量窓に光を供給する発光手段の作動を開始するとともに、所定時間経過後に油切れ報知手段を作動させる構成としてあるので、使用者が油切れ報知手段による油切れの報知で給油動作を開始するときには、蓄光機能を有する油量窓に光が発光手段から所定時間供給されているので、蓄光機能を有する油量窓に光が蓄えられ、周囲が暗い場所での給油でも油量窓に蓄えられた光で使用者はタンク内の燃料が油量窓で確認できるようになり、発光手段の省エネと長寿命化が図れるとともに、使い勝手が大幅に向上する。
【００２０】
また、請求項５記載の石油燃焼機は、時刻を計時する時計手段を設けるとともに、時計手段の時刻が所定時刻の間に蓄光機能を有する油量窓に光を供給する発光手段を作動させる構成としてある。
【００２１】
そして、時刻を計時する時計手段を設けるとともに、時計手段の時刻が所定時刻の間に蓄光機能を有する油量窓に光を供給する発光手段を作動させる構成としてあるので、日の暮れた暗い環境下でのみ所定時刻の間に蓄光機能を有する油量窓に光を供給する発光手段を作動させることができるようになり、発光手段の省エネと長寿命化が図れるようになる。
【００２２】
また、請求項６記載の石油燃焼機は、蓄光機能を有する油量窓に光を供給する発光手段は、定期的あるいは不定期に作動させる構成としてある。
【００２３】
そして、蓄光機能を有する油量窓に光を供給する発光手段は、定期的あるいは不定期に作動させる構成としてあるので、蓄光機能に必要以上の光の供給を制限できるようになり、より発光手段の省エネと長寿命化が図れるようになる。
【００２４】
また、請求項７記載の石油燃焼機は、蓄光機能を有する油量窓に光を供給する発光手段の作動を入・切する発光作動切替手段を配設した構成としてある。
【００２５】
そして、蓄光機能を有する油量窓に光を供給する発光手段の作動を入・切する発光作動切替手段を配設した構成としてあるので、給油作業をする場所が明るい場合は、発光手段の作動をしないようにすることができ、発光手段の省エネと長寿命化が図れるようになる。
【００２６】
【実施例】
以下本発明の一実施例について、石油燃焼機のタンクを用いて説明する。
【００２７】
（実施例１）
図１は本発明の実施例１の石油燃焼機へのタンク装着状態を示す要部断面図、図２はタンクの構成図、図３は給油キャップの要部断面図、図４はタンクを油受け皿に装着した状態を示す要部詳細図、図５は石油燃焼機の制御ブロック図である。
【００２８】
図において、１１は燃料を蓄えておく略直方体のタンク、１２はタンク１１の燃料の量を確認するための油量窓、１３はタンク１１の長手方向の１端面の適所に設けたタンク１１へ燃料の補給と流出を行う給油口、１３ａはこの給油口１３の外周部にもうけたネジ部、１４は給油口１３に着脱自在に設けた給油キャップで、給油キャップ１４の内面に設けたネジ部１４ａと給油口１３のネジ部１３ａとが噛み合うようになっている。
【００２９】
また、油量窓１２は光を蓄える蓄光機能を有するように蓄光剤を封入した透明樹脂で形成するとともに、タンク１１内側へ突起部１２ａを設けて受光手段を構成し、この突起部１２ａが給油口１３から見えるようになっている。
【００３０】
１５は給油キャップ１４内に一体化して設け複数個の貫通孔１５ａを有する弁筒で、内部に弁機構１６を設けている。弁機構１６は給油キャップ１４と弁筒１５間に内装してあり、弁体１７と弁座１８およびバネ１９で構成し、給油キャップ１４の吐出口２０の開閉を行う。２１は石油燃焼器のバーナへ燃料を供給するために一時蓄えておくための油受け皿、２２は油受け皿２１の上部開口に取り付けた受け口であり、該受け口２２には弁押し上げピン２３が突起して形成してある。
【００３１】
油受け皿２１には、油受け皿２１内の燃料を検知する油量検知手段２４を配設してあり、タンク１１には、給油口１３の反対側のタンク１１の長手方向の１端面の適所に取っ手２５が設けてある。
【００３２】
そして、油受け皿２１は機器本体の下部に配設してあり、通常は着脱自在に設けたタンク１１を載置して、該油受け皿２１に燃料を供給するようにしてあり、機器本体の油受け皿２１上部にはタンク１１を収納するタンク収納部２６が配設してある。
【００３３】
このタンク収納部２６には、タンク１１を装着したときに、タンク１１の蓄光機能を有する油量窓１２に対向する位置に光を供給するＬＥＤなどの発光手段２７を配設してある。
【００３４】
２８は機器を制御する制御部で、時刻を計時する時計手段２９と油切れを報知する油切れ報知手段３０を設けてあり、操作部３１等で設定された条件であらかじめ決められたシーケンスで機器を運転するとともに、油量検知手段２４の信号に応じて、蓄光機能を有する油量窓１２に光を供給する発光手段２７をコントロールするようになっている。
【００３５】
上記構成において、その動作を説明すると、まず、タンク１１を給油キャップ１４を下向きにして油受け皿２１の受け口２２に装着すると、弁押し上げピン２３が弁体１７をバネ１９に抗して押し上げ、弁座１８による給油キャップ１４の吐出口２０の閉塞状態が解除される。これにより、タンク１１の燃料は受け口２２を介して油受け皿２１内に供給され、給油キャップ１４の吐出口２０の油面高さまで蓄えられる。そして、機器で消費され油受け皿２１内の油面が低下すると、吐出口２０よりタンク１１内に空気が入り、この空気の置換作用でタンク１１の燃料は油受け皿２１内に供給される。この繰り返しにより油受け皿２１内の油面は一定油面を保持する。そして、タンク１１内の燃料が給油キャップ１４の端部つまり吐出口２０まで減少してくると、弁筒１５の外周部に設けた複数の貫通孔１５ａより燃料の供給は継続され、タンク１１内の燃料はほとんど使いきることになる。
【００３６】
次に、タンク１１の燃料が空になると、タンク１１を受け口２２から取り外す。このとき、弁機構１６は弁押し上げピン２３で弁体１７を押し上げていた動作が解除されるため、弁体１７はバネ１９により元の状態に戻り、弁座１８を介して吐出口２０を閉塞状態に保つ。そして、タンク１１を給油場所まで運び、給油キャップ１４を取り外してサイフォンポンプなどで給油を行い、給油口１３から燃料を補給したのち、給油キャップ１４を給油口１３に取り付け、再度機器に逆転装着することで、油受け皿２１への供給が開始されるものである。
【００３７】
また、制御部２８は、操作部３１等で設定された条件であらかじめ決められたシーケンスで機器を運転するとともに、油量検知手段２４が油受け皿２１内の燃料を所定量以下を検知した時に、蓄光機能を有する突起部１２ａを設けた油量窓１２に光を供給する発光手段２７を定期的に作動させたのち、所定時間経過後に油切れ報知手段３０を作動させるようにコントロールするようになっている。
【００３８】
ここで、油量窓１２に蓄光機能を有する突起部１２ａを配設するとともに、油受け皿２１にタンク１１を装着したとき、タンク収納部２６の適所に蓄光機能を有する油量窓１２に光を供給する発光手段２７を配設してあるので、油受け皿２１にタンク１１を装着したときに、蓄光機能を有する油量窓１２に光を蓄えられ、周囲が暗い場所での給油でも油量窓１２に設けた突起部１２ａに蓄えられた光で使用者はタンク１１内の燃料が油量窓１２で確認出来るようになり、タンク１１内に燃料が満量となって溢れさせたり、こぼしたりする危険性が少なくなる。
【００３９】
つまり、タンク１１に燃料を給油するときに、周囲が暗い場所でも、使用者がタンク１１内の燃料を油量窓１２で確認しやすくなり、燃料を溢れさせたり、こぼしたりする心配が無くなるので、周囲を汚したり、燃料のにおいが部屋に充満する心配が無くなり、使い勝手が大幅に向上される。
【００４０】
また、油量窓１２に設けた受光手段はタンク１１内側へ突起部１２ａを有した構成とし、この突起部１２ａが給油口１３から見えるように配設してあるので、発光手段２７からの光を蓄えた油量窓１２の突起部１２ａが給油口１３から見え、周囲が暗い場所での給油でも、給油口１３がタンク１１の内側からの光で確認しやすくなり、また、使用者は給油の際にタンク１１の上方から作業する場合が多く、その際使用者は油量窓１２でタンク１１内の油量を確認しなくても、給油口１３から突起部１２ａをみて確認出来るようになるので、給油しやすくなり、さらに使い勝手が大幅に向上される。
【００４１】
そしてさらに、油量検知手段２４で油受け皿２１内の燃料が所定量以下を検知した時に、蓄光機能を有する油量窓１２に光を供給する発光手段２７を作動させるようにしてあるので、給油動作をする可能性の少ないタンク１１内に燃料があるときには、発光手段２７を作動しないので、発光手段２７の省エネと長寿命化が図れる。
【００４２】
また、油量検知手段２４で油受け皿２１内の燃料が所定量以下を検知した時に、蓄光機能を有する油量窓１２に光を供給する発光手段２７の作動を開始するとともに、所定時間経過後に油切れ報知手段３０を作動させる構成としてあるので、使用者が油切れ報知手段３０による油切れの報知で給油動作を開始するときには、蓄光機能を有する油量窓１２に光が発光手段２７から所定時間供給されているので、蓄光機能を有する油量窓１２に光を蓄えられ、周囲が暗い場所での給油でも油量窓１２に蓄えられた光で使用者はタンク１１内の燃料が油量窓１２で確認出来るようになり、発光手段２７の省エネと長寿命化が図れるとともに、使い勝手が大幅に増す。
【００４３】
さらに、蓄光機能を有する油量窓１２に光を供給する発光手段２７は定期的に作動させる構成としてあるので、蓄光機能に必要以上の光の供給を制限出来るようになり、より発光手段２７の省エネと長寿命化が図れるようになる。
【００４４】
（実施例２）
図６は本発明の実施例２の石油燃焼機の制御ブロック図である。実施例１で述べた部分と同じ部分は同一番号を付記して説明を省略し、異なる部分のみを説明する。
【００４５】
図６において、制御部４１には時刻を計時する時計手段４２と発光手段の作動を入り切りする発光作動切替手段４３を配設を配設するとともに、時計手段４２の時刻が所定時刻間例えば午後５時から朝の６時までの間に蓄光機能を有する油量窓１２に光を供給する発光手段４４を作動させる構成としてある。
【００４６】
そして、制御部４１は、時計手段４２の時刻が所定時刻間、例えば、午後５時から朝の６時までの間に蓄光機能を有する油量窓１２に光を供給する発光手段４４を作動させる構成としてあるので、日の暮れた暗い環境下でのみの所定時刻間例えば午後５時から朝の６時までの間に、油量窓１２に光を供給する発光手段４４を作動させることができるようになり、発光手段４４の省エネと長寿命化が図れるようになる。
【００４７】
また、蓄光機能を有する油量窓１２に光を供給する発光手段４４の作動を入り切りする発光作動切替手段４３を配設した構成としてあるので、給油動作をする場所が明るいところですることで限定される場合は、発光手段４４の作動をしないようにすることができ、発光手段４４を不使用とすることで省エネが図れるようになる。
【００４８】
なお上記実施例は、油受け皿２１内の燃料を検知する油量検知手段２４で説明したが、これはタンク１１内の燃料を検知するものでもよく、油量窓１２は光を蓄える蓄光機能を有するように蓄光剤を封入した透明樹脂で形成した受光手段を有する構成で説明したが、これは他の方法でもよく、本発明の目的・効果を達成するものであれば実施例の構成に限られることなく、どのように構成してもよいものである。
【００４９】
【発明の効果】
以上のように本発明の石油燃焼機によれば、油量窓は蓄光機能を有するように形成するとともに、油受け皿にタンクを装着したとき、タンク収納部の適所に蓄光機能を有する油量窓に光を供給する発光手段を配設してあるので、油受け皿にタンクを装着したときに、蓄光機能を有する油量窓に光を蓄えられ、周囲が暗い場所での給油でも油量窓に蓄えられた光で使用者はタンク内の燃料が油量窓で確認出来るようになり、タンク内に燃料が満量となって溢れさせたり、こぼしたりする危険性が少なくなる。
【００５０】
つまり、タンクに燃料を給油するときに、周囲が暗い場所でも、使用者がタンク内の燃料を油量窓で確認しやすくなり、燃料を溢れさせたり、こぼしたりする心配が無くなるので、周囲を汚したり、燃料のにおいが部屋に充満する心配が無くなり、使い勝手が大幅に向上される。
【図面の簡単な説明】
【図１】本発明の実施例１のタンクの石油燃焼機への設置状態を示す要部断面図
【図２】同タンクの構成図
【図３】同タンクの給油キャップの要部断面図
【図４】同タンクの石油燃焼機への設置状態を示す要部詳細図
【図５】同石油燃焼機の制御ブロック図
【図６】本発明の実施例２の石油燃焼機の制御ブロック図
【図７】従来のタンクの構成図
【図８】同タンクの機器への設置操作を示す図
【図９】同タンクの機器への設置状態を示す要部断面図
【符号の説明】
１１  タンク
１２  油量窓
１２ａ  突起部（受光手段）
１３  給油口
２１  油受け皿
２４  油量検知手段
２６  タンク収納部
２７、４４  発光手段
２９、４２  計時手段
３０  油切れ報知手段
４３  発光作動切替手段
【図１】
2004293859.tif 000003
【図２】
2004293859.tif 000004
【図３】
2004293859.tif 000005
【図４】
2004293859.tif 000006
【図５】
2004293859.tif 000007
【図６】
2004293859.tif 000008
【図７】
2004293859.tif 000009
【図８】
2004293859.tif 000010
【図９】
2004293859.tif 000011